(57)【要約】【課題】建築工事現場でワイヤーカッタやスパナなどの多様な工具を交換可能にして使用の便宜性を高めた多用途工具を提供すること。【解決手段】本発明は、中心軸１１aから連結される両側取っ手１１の上部には、一対の切断刃１２が可動軸１２aによってそれぞれ連結され、各切断刃１２の中央を貫通する各固定軸１３aが、支持片１３によって固定されるワイヤーカッタ１０と；切断機１０の片側取っ手１１の下部に形成される、尖っている支持部２１が緩慢に折曲された鉄筋結束具２０と；切断機１０の他側取っ手１１の下部にはボルトを挿入して回動させるスパナ３０とが形成されている多用途工具において、鉄筋結束具２０とスパナ３０をそれぞれ取っ手１１に挟まれるように結合具２２が一体に形成され、ワイヤーカッタ１０の取っ手１１に結合具２２を結合することによって各工具を交換して使用可能にしたことを特徴とする。【選択図】図１
2009142977.tif 000002
【特許請求の範囲】
【請求項１】
中心軸（１１a）から連結される両側取っ手（１１）の上部には、一対の切断刃（１２）が可動軸（１２a）によってそれぞれ連結され、各切断刃（１２）の中央を貫通する各固定軸（１３a）が、支持片（１３）によって固定されるワイヤーカッタ（１０）と、  前記切断機（１０）の片側取っ手（１１）の下部に形成される、尖っている支持部（２１）が緩慢に折曲された鉄筋結束具（２０）と、
前記切断機（１０）の他側取っ手（１１）の下部にはボルトを挿入して回動させるスパナ（３０）と
が形成されている多用途工具において、
前記鉄筋結束具（２０）とスパナ（３０）をそれぞれ前記取っ手（１１）に挟まれるように結合具（２２）が一体に形成され、ワイヤーカッタ（１０）の取っ手（１１）に結合具（２２）を結合することによって各工具を交換して使用可能にしたことを特徴とする多用途工具。
【請求項２】
前記切断機（１０）の取っ手（１１）の片側に突起（１４）を形成し、結合具（２２）の内側に前記突起（１４）と対応するように凹溝（２３）を形成して、取っ手（１１）に結合具（２２）を結合させる場合、突起（１４）と凹溝（２３）が結合されることを特徴とする請求項１記載の多用途工具。
【請求項３】
前記結合具（２２）の内側に切断機（１０）の取っ手（１１）の内側と対応されるように補強突起（２４）が一体に形成されていることを特徴とする請求項１記載の多用途工具。
【発明の詳細な説明】
【技術分野】
【０００１】
本発明は、多用途工具に係り、より具体的には建築工事現場でワイヤーカッタ（Wirecutter：鉄線切断機）にスパナ、鉄筋結束具、ハンマーのように多様な工具を交換可能にして使用の便宜性を高めた多用途工具に関するものである。
【背景技術】
【０００２】
一般的に建築工事現場では多様な工法が用いられているが、この中でも住宅やビル工事によく用いられる一番普遍的な建築工法は、型枠の内部にコンクリートを打設して建物の骨組を完成する工法が主流となっている。
【０００３】
前述の工法において、コンクリートの混合及び打設作業などは、レミコンのような機械装置を利用して簡便に行えるが、コンクリートの応力を強化するために使用される鉄筋の結束作業、型枠の設置及び撤去作業などは全的に現場作業者の手作業に依存している。
【０００４】
前記の作業に主に使用される工具は、ワイヤーカッタ、鉄線を鉄筋の交差点で結束させる鉄筋結束機、型枠のボルトを締めたり、緩めたりするスパナ、簡単にくぎを打つハンマーなどがある。
【０００５】
従って、建築現場で工事中の作業者は、常に多様な目的のいくつかの工具を用意して携帯する必要があるなどの不便さがあるし、これらの工具を購入することは経済的にも多大な出費が必要となるなどの問題が発生される。
【０００６】
特に、作業を終了した後、工具の紛失防止のために常に工具の数を点検する必要があるなどの不便さがある。
【発明の開示】
【発明が解決しようとする課題】
【０００７】
本発明は前記の問題点を勘案して創案したものであり、その目的は建築工事現場でワイヤーカッタにスパナ、鉄筋結束具、ハンマーのような多様な工具を交換することを可能にして使用の便宜性を高めた多用途工具を提供することにある。
【課題を解決するための手段】
【０００８】
前記の目的を果たすための本発明の特徴は、中心軸１１aから連結される両側取っ手１１の上部には、一対の切断刃１２が可動軸１２aによってそれぞれ連結され、各切断刃１２の中央を貫通する各固定軸１３aが、支持片１３によって固定されるワイヤーカッタ１０と；前記切断機１０の片側取っ手１１の下部に形成される、尖っている支持部２１が緩慢に折曲された鉄筋結束具２０と；前記切断機１０の他側取っ手１１の下部にはボルトを挿入して回動させるスパナ３０と；が形成されている多用途工具において、前記鉄筋結束具２０とスパナ３０とをそれぞれ前記取っ手１１に挟まれるように結合具２２が一体に形成され、ワイヤーカッタ１０の取っ手１１に結合具２２を結合することによって各工具を交換して使用可能にしたことを特徴とする多用途工具によって達成できる。
【発明の効果】
【０００９】
以上、上述したように本発明は、ワイヤーカッタ１０に鉄筋結束具２０、スパナ３０、ハンマーなどをそれぞれ交換して使用可能にしたものであり、多用途機能を有する１個の工具１によって鉄線の切断、鉄筋の結束、ボルトの締め緩め、くぎを打つなどの多様な用途で積極活用できるなどの利点があると同時に１個の工具が破損された時、破損された工具のみを交換すると使用できるので工具１の使用と保管及び携帯が非常に簡便でありながら全体的な工具の製作コストも安価に維持することができ、従来の工具が有する諸般の問題点を完璧に解消するし、建築工事用工具１の対外競争力を高めることができるなどの利点がある。
【発明を実施するための最良の形態】
【００１０】
以下、前記の目的を果たすための好ましい実施形態を添付図面を参照して詳細に説明すると次のようなものである。
【００１１】
図１乃至図５に図示されたように、本発明に係る多用途工具１はワイヤーカッタ１０に鉄筋結束具２０とスパナ３０が交換可能な構成になっている。
【００１２】
前記切断機１０は、両側取っ手１１の連結部を貫通する中心軸１１aによって軸結合されており、両側取っ手１１を内・外側に作動させると取っ手１１の上部が内側で窄められる、又は外側で開けられる構成になっている。
【００１３】
前記取っ手１１の上部には一対の切断刃１２がそれぞれ連結され、切断刃１２は取っ手１１の上部をそれぞれ貫通する可動軸１２aによって連結されている。
【００１４】
前記切断刃１２の中央には固定軸１３aがそれぞれ貫通され、両側固定軸１３aは支持片１３で連結されてそれぞれ固定される。
【００１５】
従って、両側取っ手１１を内側に押すと取っ手１１の上部が中心軸１１aを中心に、外側を向けて開けるようになり、これによって可動軸１２aから連結された切断刃１２の下部も両側に開けられると同時に切断刃１２の上部は支持片１３に固定された固定軸１３aを中心に、内側を向けて窄められることによって切断刃１２の間に挿入された鉄線が切断される。
【００１６】
このように両側切断刃１２を取っ手１１に直接連結せず、可動軸１２aと固定軸１３aの段階を経る理由は、連続に設置されたレバーの原理に用いて、取っ手１１に加える力が弱いとしても切断刃１２に加えられる力は強まり、鉄線を容易に切断されるようにするためのものである。
【００１７】
前記鉄筋結束具２０は下部には緩慢に折曲され尖っている支持部(２１)が形成され、上部には前記切断機１０の取っ手１１に挟まれるように結合具２２が一体に形成されている。
【００１８】
前記結束具２０の支持部２１を鉄筋の交差点に束ねている鉄線の結び目の間に挿入して回転させると結び目が強く締められながら鉄筋の連結部位が堅固に固定される。前記支持部２１は先端が尖っていながら、外側に折曲されて鉄筋の結束完了後、結び目から容易に抜ける構成になっている。
【００１９】
また、結束具２０の結合具２２は、切断機１０の取っ手１１に挟まれるように構成され、他の工具と交換する時、切断機１０又は結束具２０の破損によって交換する必要がある時、切断機１０又は結束具２０のみを交換して使用できるという長所がある。
【００２０】
前記スパナ３０も、上部には前記切断機１０の取っ手１１に挟まれるように結合具２２が形成され、下部にはボルトを挿入して回動させるスパナ３０が一体に形成されている。
【００２１】
一方、前記切断機１０の取っ手１１の片側に突起１４を形成し、結合具２２の内側に前記突起１４と対応されるように凹溝２３を形成し、取っ手１１に結合具２２を結合させる場合、突起１４と凹溝２３の結合によって結合具２２が取っ手１１から手軽く離脱されることを防止する。
【００２２】
また、前記結合具２２の内側に切断機１０の取っ手１１の内側と対応されるように補強突起２４を一体に形成することによって、補強突起２４が取っ手１１の内側に挟まれるので結合具２２と取っ手１１の結束を強固にすることができる。
【００２３】
前記のように本発明では、切断機１０の取っ手１１に挟まれる結合具２２にそれぞれの結束具２０とスパナ３０を一体に形成して構成したが、結合具２２にハンマー、ドライバなどの工具を一体に形成して使用することもできる。
【００２４】
前述の構成からなる本発明は、ワイヤーカッタ１０の両側取っ手１１に鉄筋結束具２０とスパナ３０がそれぞれ交換できるように形成された１個の工具１によって、建築現場で必ず必要な多用途工具として積極的に活用することができるので使用の便宜性を高めるし、各工具を交換して使用できるので一つの工具が破損されでも、破損された工具のみを交換して使用できるから、その携帯が非常に簡便でありながら全体的な工具の製作コストも安価に維持することができるなどの利点があるし、いくつかの工具を用意して携帯する不便さと工具が紛失されるなどの従来諸般の問題点が完璧に解消され、建築工事用工具１の対外競争力を最大限高めることができるという利点もある。
【００２５】
以上、本発明の好ましい実施形態に対して図示し説明したが、本発明は、上述した特定の実施形態に限定されるものではなく、請求の範囲で請求する本発明の要旨を逸脱することなく当該発明の属する技術分野における通常の知識を有する者であれば誰でも各種の変更実施が可能であることはもとより、そのような変更は、請求の範囲記載の範囲内にあることが自明である。
【図面の簡単な説明】
【００２６】
【図１】本発明の一実施形態を例示した斜視図。
【図２】本発明の一実施形態を例示した分離斜視図。
【図３】本発明の他の実施形態を例示した分離斜視図。
【図４】本発明の他の実施形態を例示した一部分断面図。
【図５】本発明のまた他の実施形態を例示した一部分断面図。
【符号の説明】
【００２７】
１…工具
１０…切断機
１１…取っ手
１１a…中心軸
１２…切断刃
１２a…可動軸
１３…支持片
１３a…固定軸
１４…突起
２０…結束具
２１…支持部
２２…結合具
２３…凹溝
２４…補強突起
３０…スパナ
【図１】
2009142977.tif 000003
【図２】
2009142977.tif 000004
【図３】
2009142977.tif 000005
【図４】
2009142977.tif 000006
【図５】
2009142977.tif 000007